(57)【要約】【課題】アンカーボルトの固定の作業性を向上し、建造物の基礎のすべてのアンカーボルトを、正確に高さ調整しつつアンカープレートに固定する。【解決手段】アンカーボルト固定用治具１は、アンカーボルトＢに嵌め込まれたナットＣを保持する保持部２１が下端部に設けられ、当該下端部からアンカーボルトＢを内部に挿入可能な筒状部１０と、高さ調整ためのレーザ光を受光するレーザ受光器３０が上部に取り付けられ、下部が筒状部１０の内部に上下動自在に挿入された棒状部１１と、を有している。筒状部１０には、筒状部１０を回転させるためのハンドル２３が設けられている。【選択図】図２
2011106228.tif 000002
【特許請求の範囲】
【請求項１】
建造物の基礎の施工時に仮設される基礎型枠上のアンカープレートに、アンカーボルトをナットで固定するための治具であって、
前記アンカーボルトに嵌め込まれたナットを保持する保持部が下端部に設けられ、当該下端部から前記アンカーボルトを内部に挿入可能な筒状部と、
高さ調整ためのレーザ光を受光するレーザ受光器が上部に取り付けられ、下部が前記筒状部の内部に上下動自在に挿入された棒状部と、を有し、
前記筒状部には、当該筒状部を回転させるためのハンドルが設けられている、アンカーボルト固定用治具。
【請求項２】
前記筒状部には、前記棒状部が抜けないための抜け防止手段が設けられている、請求項１に記載のアンカーボルト固定用治具。
【請求項３】
前記棒状部が前記筒状部の保持部を通過しないように構成されている、請求項１又は２に記載のアンカーボルト固定用治具。
【請求項４】
前記筒状部には、内部の前記アンカーボルトと前記棒状部との接触部分を目視するための窓が設けられている、請求項１〜３のいずれかに記載のアンカーボルト固定用治具。
【請求項５】
請求項１〜４のいずれかに記載のアンカーボルト固定用治具を用いたアンカーボルトの固定方法であって、
アンカープレートの貫通孔にアンカーボルトを挿入し、アンカーボルトのアンカープレートを挟んだ上下にナットを嵌め込む工程と、
前記アンカーボルトの前記アンカープレートより上側が前記筒状部内に挿入されるように前記アンカープレート上のアンカーボルトに前記筒状部を被せて、前記筒状部の保持部により、上側のナットを保持するとともに、前記アンカーボルトの上端に前記棒状部を載置する工程と、
前記アンカーボルトを回転し上下動させて前記棒状部を上下動させ、前記棒状部の前記レーザ受光器を用いて前記アンカーボルトを所定の高さに設定する工程と、
前記アンカーボルトの下側のナットを回転し、前記アンカープレートの下面に締め付ける工程と、
前記筒状部のハンドルを回し、前記筒状部の保持部により前記上側のナットを回転させて、前記上側のナットを前記アンカープレートの上面に締め付ける工程と、を有する、アンカーボルトの固定方法。
【発明の詳細な説明】
【技術分野】
【０００１】
本発明は、建造物の基礎の施工時に基礎型枠上に仮設されるアンカープレートに、アンカーボルトをナットで固定するためのアンカーボルト固定用治具と、当該アンカーボルト固定用治具を用いたアンカーボルトの固定方法に関する。
【背景技術】
【０００２】
住宅などの建造物を施工する際、コンクリートの基礎には、柱などの上部構造体を固定或いは当該固定を補強するためのアンカーボルトが設置されている。このアンカーボルトは、基礎の内部から基礎の上方に所定長さ突出する形で設置されている。
【０００３】
アンカーボルトは、通常コンクリートの基礎が打設される前に、基礎の型枠の上部にアンカープレートが仮設され、当該アンカープレートに固定される。具体的には、アンカープレートの貫通孔にアンカーボルトを挿入し、当該アンカーボルトのアンカープレートを挟んだ上下にナットをそれぞれ螺合して嵌め込み、それらのナットをアンカープレートの両側から締め付けることにより、アンカーボルトをアンカープレートに固定している。アンカープレートは、コンクリートの基礎が打設された後、アンカーボルトを残して取り外される。
【０００４】
ところで、アンカーボルトは、基礎天端からの突出部分を長くしすぎると、基礎コンクリートに埋設される部分の長さが短くなり、コンクリートに対するアンカーボルトの付着長さが確保されずに柱等の上部構造体と基礎との接合強度が弱くなる。また、逆にコンクリートに埋設される部分の長さを必要以上に長くしてアンカーボルトの基礎天端からの突出部分を短くしすぎると、基礎上に上部構造体を固定する際に用いられるナットの嵌め込む部分の長さが短くなり、アンカーボルトに対するナットの係り代が確保されずに上部構造体と基礎との固定強度を十分に確保できなくなる。それゆえ、アンカーボルトのアンカープレートへの固定時には、突出長さを適正にするためのアンカーボルトの高さ調整が行われる。
【０００５】
従来、アンカーボルトの高さ調整と固定の作業は、アンカーボルトの高さを水準器等で確認して調整し、その後レンチでナットを締めることにより行っていた。この場合、作業中に道具を持ち替える必要があり、また順次アンカーボルトを固定していく際にそれらの道具を持ち運ぶ必要がある。このため、作業に手間や時間がかかり、作業性がよくなかった。
【０００６】
それに対し、アンカーボルトを固定する治具として、アンカーボルトのナットを回転させるソケットが開示されている（特許文献１参照）。このソケットは、ナットが嵌合する嵌合部と、アンカーボルトを収容する収容空間を有する筒部と、当該筒部の収容空間に収容されるアンカーボルトの長さを規制する規制部材を有している。このソケットによれば、アンカープレートに固定された基準アンカーボルトに合わせて筒部内の規制部材の高さを固定し、その規制部材の高さを基準に、他のアンカーボルトを高さ調整できる。このため、各アンカーボルトの固定毎に水準器を持ち運ぶ必要がない。
【先行技術文献】
【特許文献】
【０００７】
【特許文献１】特開２００５−２４８４６９号公報
【特許文献２】特開２００４−３６０４１１号公報
【特許文献３】実開昭６４−３３８５３号公報
【発明の概要】
【発明が解決しようとする課題】
【０００８】
しかしながら、上記ソケットを用いた場合、基準アンカーボルトのアンカープレートに対する高さに、他のアンカーボルトの高さが合わせられることになる。このため、アンカープレートの高さが場所によって異なると、アンカーボルトの基礎に対する高さ、つまり突出長さがばらつくことになる。通常、建造物の基礎全体には、多数のアンカープレートが用いられ、それらが互いに重ねられて連結されたり（特許文献２、３参照）、アンカープレートの基礎型枠の高さもばらついているので、一般的にアンカープレートの高さは場所によって異なっている。よって、上記ソケットでは、建造物の基礎のすべてのアンカーボルトを、基礎に対して正確に高さ調整しつつアンカープレートに固定することは難しい。
【０００９】
本発明は、かかる点に鑑みてなされたものであり、アンカーボルト固定の作業性を向上し、なおかつ建造物の基礎のすべてのアンカーボルトを、基礎に対して正確に高さ調整しつつアンカープレートに固定できるアンカーボルト固定用治具及びアンカーボルトの固定方法を提供することをその目的とする。
【課題を解決するための手段】
【００１０】
上記目的を達成するための本発明は、建造物の基礎の施工時に仮設される基礎型枠上のアンカープレートに、アンカーボルトをナットで固定するための治具であって、前記アンカーボルトに嵌め込まれたナットを保持する保持部が下端部に設けられ、当該下端部から前記アンカーボルトを内部に挿入可能な筒状部と、高さ調整ためのレーザ光を受光するレーザ受光器が上部に取り付けられ、下部が前記筒状部の内部に上下動自在に挿入された棒状部と、を有し、前記筒状部には、当該筒状部を回転させるためのハンドルが設けられている、アンカーボルト固定用治具である。
【００１１】
本発明によれば、レーザ受光器を用いてアンカーボルト毎に高さ調整できるので、建造物の基礎のすべてのアンカーボルトを、基礎に対して正確に高さ調整しつつアンカープレートに固定できる。また、一つのアンカーボルト固定用治具を用いてアンカーボルトの一連の高さ調整と固定を行うことができるので、道具を持ち替えたり複数の道具を持ち運ぶ必要がなく、作業性を飛躍的に向上できる。
【００１２】
前記筒状部には、前記棒状部が抜けないための抜け防止手段が設けられていてもよい。かかる場合、例えば作業中に筒状部から棒状部が外れることがなく、作業性を向上できる。
【００１３】
上記アンカーボルト固定用治具は、前記棒状部が前記筒状部の保持部を通過しないように構成されていてもよい。かかる場合、棒状部が筒状部の保持部側から外れることを防止でき、作業性を向上できる。
【００１４】
前記筒状部には、内部の前記アンカーボルトと前記棒状部との接触部分を目視するための窓が設けられていてもよい。かかる場合、アンカーボルトと棒状部の接触部分に例えば異物が挟まっていることを目視により確認できるので、アンカーボルトの高さ調整を正確かつ確実に行うことができる。
【００１５】
別の観点による本発明は、上記アンカーボルト固定用治具を用いたアンカーボルトの固定方法であって、アンカープレートの貫通孔にアンカーボルトを挿入し、アンカーボルトのアンカープレートを挟んだ上下にナットを嵌め込む工程と、前記アンカーボルトの前記アンカープレートより上側が前記筒状部内に挿入されるように前記アンカープレート上のアンカーボルトに前記筒状部を被せて、前記筒状部の保持部により、上側のナットを保持するとともに、前記アンカーボルトの上端に前記棒状部を載置する工程と、前記アンカーボルトを回転し上下動させて前記棒状部を上下動させ、前記棒状部の前記レーザ受光器を用いて前記アンカーボルトを所定の高さに設定する工程と、前記アンカーボルトの下側のナットを回転し、前記アンカープレートの下面に締め付ける工程と、前記筒状部のハンドルを回し、前記筒状部の保持部により前記上側のナットを回転させて、前記上側のナットを前記アンカープレートの上面に締め付ける工程と、を有するものである。
【００１６】
本発明によれば、レーザ受光器を用いてアンカーボルト毎に高さ調整するので、建造物の基礎のすべてのアンカーボルトを、基礎に対して正確に高さ調整しつつアンカープレートに固定できる。また、一つのアンカーボルト固定用治具を用いてアンカーボルトの一連の高さ調整と固定を行うので、道具を持ち替えたり複数の道具を持ち運ぶ必要がなく、作業性を飛躍的に向上できる。
【発明の効果】
【００１７】
本発明によれば、アンカーボルト固定の作業性を向上し、なおかつ建造物の基礎のすべてのアンカーボルトを、基礎に対して正確に高さ調整しつつアンカープレートに固定できる。
【図面の簡単な説明】
【００１８】
【図１】本実施の形態にかかるアンカーボルト固定用治具の構成の概略を示す側面図である。
【図２】アンカーボルト固定用治具の構成の概略を示す断面図である。
【図３】アンカーボルト固定用治具の筒状部の保持部の下面図である。
【図４】アンカーボルトの固定方法の主な工程の状態を示す説明図である。
【図５】アンカーボルトの固定方法の図４の続きの主な工程の状態を示す説明図である      。
【図６】棒状部の抜け防止手段を備えたアンカーボルト固定用治具の構成の概略を示す断面図である。
【発明を実施するための形態】
【００１９】
以下、図面を参照して、本発明の好ましい実施の形態について説明する。図１及び図２は、本実施の形態に係るアンカーボルト固定用治具１の構成の概略を示す説明図である。
【００２０】
アンカーボルト固定用治具１は、建造物の基礎の施工時に基礎型枠上に仮設されるアンカープレートＡに、アンカーボルトＢをナットで固定するためのものである。例えばアンカーボルト固定用治具１は、例えば筒状部１０と、当該筒状部１０に挿入された棒状部１１を有している。筒状部１０及び棒状部１１は、例えば金属製である。
【００２１】
筒状部１０は、例えば外形が直方体状に形成され、図２に示すように内部は、長手方向（上下方向）に空洞であり、該筒状部１０を貫通する貫通孔２０が形成されている。筒状部１０の下端部には、アンカーボルトＢに嵌め込まれたナットを保持する保持部２１が形成されている。保持部２１は、例えば図３に示すようにナットの側面の外形に合致する形状の嵌合穴２１ａを有しており、ナットに嵌合して当該ナットを保持できる。図１及び図２に示すように筒状部１０は、この保持部２１のある下端部からアンカーボルトＢを貫通孔２０内に挿入できる。筒状部１０の下端面は、平坦に形成され、アンカープレートＡの上面に密着できる。
【００２２】
図１に示すように筒状部１０の側壁には、窓２２が開口している。この窓２２によって、棒状部１１とアンカーボルトＢとの接触部分を目視することができる。
【００２３】
筒状部１０の側壁面には、水平方向に延びるハンドル２３が取り付けられている。このハンドル２３によって、筒状部１０を鉛直軸周りに回転することができる。
【００２４】
棒状部１１は、例えば筒状部１０の貫通孔２０に挿入可能な円柱状に形成されている。棒状部１１の径は、貫通孔２０内で上下動自在で、なおかつ保持部２１の嵌合穴２１ａを通過しないように該嵌合穴２１ａの径より大きく設定されている。棒状部１１の下部は、筒状部１０の上部から筒状部１０内に挿入され、棒状部１１の上部は、筒状部１０の上方に突出している。棒状部１１の上部には、高さ調整ためのレーザ光を受光するレーザ受光器３０が取り付けられている。レーザ受光器３０は、例えばクランプ３１によって棒状部１１に取り付けられている。レーザ受光器３０は、別途施工現場に設置されるレーザ発光器Ｅから発光された所定高さのレーザ光を検出でき、その検出の有無を表示又は音を鳴らして知らせることができる。よって、棒状部１１を上下動させ、レーザ受光器３０にレーザ発光器３０からのレーザ光を検出させることによって、棒状部１１を所定の高さに調整できる。
【００２５】
次に、以上のように構成されたアンカーボルト固定用治具１を用いたアンカーボルトＢの固定方法について説明する。
【００２６】
アンカーボルトＢの固定作業時には、図４に示すように建造物の基礎Ｆのコンクリートが打設される前の基礎型枠Ｇ上に、アンカープレートＡが仮設されている。このアンカープレートＡには、アンカーボルトＢを挿入する孔Ａ１が形成されている。建造物の基礎型枠Ｇには、多数のアンカープレートＡが設置され、各アンカープレートＡには、複数の孔Ａ１が形成されている。また、施工現場には、レーザ発光器Ｅが設置され、水平に発光されるレーザ光が、アンカーボルトＢの高さ調整のための所定の高さに設定されている。
【００２７】
先ず、図４（ａ）に示すようにアンカープレートＡの孔Ａ１にアンカーボルトＢが挿入され、アンカーボルトＢのアンカープレートＡを挟んだ上下にナットＣ、Ｄを螺合して嵌め込まれる。このとき、アンカーボルトＢの自重によって、上側の上部ナットＣがアンカープレートＡの上面に引っ掛かり、アンカーボルトＢがアンカープレートＡにぶら下がった状態になる。なお、図４、図５中のＨ１は、後に打設されるコンクリートの基礎Ｆの上端（天端）の高さを示し、Ｈ２は、基礎Ｆの天端に対するアンカーボルトＢの突出長さを決める、アンカーボルトＢの上端の目標高さを示す。
【００２８】
次に、図４（ｂ）に示すようにアンカーボルト固定用治具１が、アンカープレートＡ上のアンカーボルトＢに被せられる。このとき、アンカーボルトＢの上部が、筒状部１０の下から筒状部１０内に挿入される。筒状部１０の下端面がアンカープレートＡの上面に密着して筒状部１０がアンカープレートＡ上に垂直に立設し、上部ナットＣが筒状部１０の保持部２１に嵌め込まれて保持される。また、アンカーボルトＢの上端に棒状部１１が載置される。このとき、筒状部１０の窓２２から、アンカーボルトＢと棒状部１１との間に異物が挟まっていないか確認する。
【００２９】
次に、図４（ｃ）に示すようにアンカーボルトＢを回転させると、アンカープレートＡに対してアンカーボルトＢが上動（または下動）し、これに伴い棒状部１１が上動（または下動）する。レーザ発光器Ｅから発光された所定の高さのレーザ光が棒状部１１のレーザ受光器３０により検出されると、その位置で、アンカーボルトＢの回転が止められ、アンカーボルトＢの上端の高さがＨ２に調整される。これにより、アンカーボルトＢの基礎Ｆに対する高さ（突出長さ）が調整される。
【００３０】
次に、図５（ａ）に示すようにアンカーボルトＢの下側の下部ナットＤを回転させると、ナットＤは、アンカープレートＡの下面に締め付けられる。次に、図５（ｂ）に示すようにハンドル２３により筒状部１０が回転され、保持部２１により上部ナットＣが回されて、上部ナットＣがアンカープレートＡの上面に締め付けられる。これにより、アンカーボルトＢがアンカープレートＡに固定される。その後、図５（ｃ）に示すようにアンカーボルト固定用治具１がアンカーボルトＢから取り外される。他のアンカーボルトＢも同様にして、基礎型枠ＧのアンカープレートＡに固定される。その後、基礎型枠Ｇ内に基礎Ｆのコンクリートが打設される。
【００３１】
以上の実施の形態によれば、レーザ受光器３０を用いてアンカーボルトＢ毎に高さ調整できるので、建造物の基礎ＦのすべてのアンカーボルトＢを、基礎Ｆに対して正確に高さ調整しつつアンカープレートＡに固定できる。また、一つのアンカーボルト固定用治具１を用いてアンカーボルトＢの一連の高さ調整と固定を行うことができるので、作業中に道具を持ち替えたり複数の道具を持ち運ぶ必要がなく、作業性を飛躍的に向上できる。
【００３２】
アンカーボルト固定用治具１は、棒状部１１が筒状部１０の保持部２１を通過できないようになっているので、棒状部１１が筒状部１０の保持部２１側（下側）から外れることを防止でき、作業性を向上できる。
【００３３】
筒状部１０には、アンカーボルトＢと棒状部１１との接触部分を目視するための窓２２が形成されているので、アンカーボルトＢと棒状部１１の接触部分に例えば異物が挟まっていることを目視により確認できる。よって、アンカーボルトＢの高さ調整を正確かつ確実に行うことができる。
【００３４】
また、本実施の形態で記載したような固定方法によってアンカーボルトＢを固定することによって、建造物の基礎ＦのすべてのアンカーボルトＢを基礎Ｆに対して正確に高さ調整できる。また、作業中に道具を持ち替えたり、複数の道具を持ち運ぶ必要がないので、作業性を飛躍的に向上きる。
【００３５】
以上の実施の形態で記載した筒状部１０には、棒状部１１が抜けないための抜け防止手段が設けられていてもよい。かかる場合、例えば図６に示すように筒状部１０の側壁部に上下方向に長い開口部５０が形成され、棒状部１１の側面には、開口部５０を通じて筒状部１０の外側まで延びる突出部材６０が取り付けられる。棒状部１１が上方に移動すると、突出部材６０が開口部５０の上端に当たって棒状部１１がそれ以上上方に移動できない。よって、棒状部１１が筒状部１０から抜けることを防止できる。これにより、例えば作業中に筒状部１０から棒状部１１が外れることがなく、作業性が向上する。なお、かかる例においては、ハンドル２３を回すと、筒状部１０と共に棒状部１１も回転される。この例では、開口部５０と突出部材６０により抜け防止手段が構成されている。
【００３６】
なお、突出部材６０は、棒状部１１の側壁に形成されたネジ穴に嵌め込まれたネジであってもよい。かかる場合、突出部材６０を棒状部１１から取り外すことができるので、必要に応じて棒状部１１を筒状部１０から取り外すことができる。
【００３７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【符号の説明】
【００３８】
１  アンカーボルト固定用治具
１０  筒状部
１１  棒状部
２０  貫通孔
２１  保持部
２１ａ  嵌合穴
２２  窓
２３  ハンドル
３０  レーザ受光器
３１  クランプ
Ａ  アンカープレート
Ａ１  孔
Ｂ  アンカーボルト
Ｃ  上部ナット
Ｄ  下部ナット
Ｅ  レーザ発光器
Ｆ  基礎
Ｇ  基礎型枠
Ｈ１  基礎の上端
Ｈ２  アンカーボルトの上端の目標高さ
【図１】
2011106228.tif 000003
【図２】
2011106228.tif 000004
【図３】
2011106228.tif 000005
【図４】
2011106228.tif 000006
【図５】
2011106228.tif 000007
【図６】
2011106228.tif 000008